【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
指示具によって指示される座標入力領域上の座標を検出する座標入力装置であって、
前記指示具の指示座標を検出する第１検出手段と、
前記指示具の主軸方向回転角度を検出する第２検出手段と
を備えることを特徴とする座標入力装置。
【請求項２】
前記指示具は、ｍ個の発光素子と、１つ以上のスイッチを備え、
前記ｍ個の発光素子は、前記指示具の主軸方向に対して、直角な面に平行な方向に光を放射するように所定の角度ごとに配置され、該ｍ個の発光素子がそれぞれ任意のタイミングで発光する
ことを特徴とする請求項１に記載の座標入力装置。
【請求項３】
前記指示具は、前記ｍ個の発光素子を、該指示具の主軸回転方向に、一個ずつ順送りしながら同時にｎ個ずつ点灯する一回転順送り周期内で、前記ｍ個の発光素子の内、ｉ番目の発光素子が点灯してからｉ＋１番目の発光素子が点灯するまでの期間Ｔｉ（ｉ＝１〜ｍ）がそれぞれ互いに異なる値として予め設定されている
ことを特徴とする請求項２に記載の座標入力装置。
【請求項４】
前記指示具は、前記一回転順送り周期をｒ回繰り返すことにより、誤り検知情報を含むｒビットの情報を出力する
ことを請求項３に記載の座標入力装置。
【請求項５】
前記ｒビットの情報は、前記指示具上の複数のスイッチ信号が含まれる
ことを特徴とする請求項４に記載の座標入力装置。
【請求項６】
前記第２検出手段は、前記一回転順送り周期の前記ｒ回の繰り返しによって得られる前記指示具から出力される複数パルスの組み合わせを検出することで、前記指示具の主軸方向回転角度を検出する
ことを特徴とする請求項４に記載の座標入力装置。
【請求項７】
前記指示具に設定されている期間Ｔｉ（ｉ＝１〜ｍ）を記憶する記憶手段を更に備える
ことを特徴とする請求項３に記載の座標入力装置。
【請求項８】
前記第２検出手段は、前記一回転順送り周期の前記ｒ回の繰り返しによって得られる前記指示具から出力される複数パルスの組み合わせ間の時間間隔と、前記期間Ｔｉ（ｉ＝１〜ｍ）を照合することにより、前記指示具の主軸に垂直な面内において規定される指示具の基準方位と、該指示具から前記第２検出手段に向かうベクトルの成す角度θｓを前記指示具の主軸方向回転角度として算出する
ことを特徴とする請求項７に記載の座標入力装置。
【請求項９】
前記第２検出手段は、前記複数のパルスの組み合わせ内のパルス振幅比を算出し、その振幅比に基づいて、前記角度θｓを前記指示具の主軸方向回転角度として算出する
ことを特徴とする請求項８に記載の座標入力装置。
【請求項１０】
前記第２検出手段は、前記指示具と当該第２検出手段とを結ぶ直線と、前記座標入力領域のＸ軸またはＹ軸、または該座標入力領域の基準となる方向との成す角度θｐを算出し、この角度θｐと前記角度θｓに基づいて、前記指示具の基準方位と前記座標入力領域のＸ軸またはＹ軸または該座標入力領域の基準となる方向との成す角度θａを前記指示具の主軸方向回転角度として算出する
ことを特徴とする請求項８に記載の座標入力装置。
【請求項１１】
前記指示具の形状に基づく前記第１検出手段で算出される座標値を補正する補正値を記憶する記憶手段を更に備え、
前記第１検出手段は、前記記憶手段に記憶される補正値を用いて、前記角度θａが示す方向に、算出した座標値を補正する
ことを特徴とする請求項１に記載の座標入力装置。
【請求項１２】
指示具によって入力される座標入力領域上の座標を検出する座標入力装置であって、
発光部を有する前記指示具の前記発光部からの第１発光に基づいて、該指示具の指示座標を検出する第１検出手段と、
前記指示具の前記発光部からの第２発光に基づいて、該指示具の主軸方向回転角度を検出する第２検出手段と
を備えることを特徴とする座標入力装置。
【請求項１３】
前記指示具は、前記第１発光及び前記第２発光を時間差を持って発光する
ことを特徴とする請求項１２に記載の座標入力装置。
【請求項１４】
座標入力装置によって出力される座標入力領域に対する指示具の指示座標とその主軸方向回転角度に基づいて、表示部に表示されるオブジェクトを制御する情報処理装置であって、
前記座標入力装置より、前記指示具の指示座標とその主軸方向回転角度を入力する入力手段と、
前記入力手段で入力された前記指示具の指示座標とその主軸方向回転角度に基づいて、処理対象のオブジェクトの表示形態を制御する制御手段と
を備えることを特徴とする情報処理装置。
【請求項１５】
前記制御手段は、前記入力手段で入力された前記指示具の指示座標とその主軸方向回転角度に基づいて、更に、処理対象のオブジェクトの回転方向と回転速度を制御する
ことを特徴とする請求項１４に記載の情報処理装置。
【請求項１６】
前記制御手段は、前記入力手段で入力された前記指示具の指示座標とその主軸方向回転角度と、前記オブジェクトの向きと描線方向の成す角に基づいて、該オブジェクトによる描線の表示形態を制御する
ことを特徴とする請求項１４に記載の情報処理装置。
【請求項１７】
前記制御手段は、前記入力手段で入力された前記指示具の指示座標とその主軸方向回転角度の時間変化に基づいて、前記オブジェクトによる描線の表示形態を制御する
ことを特徴とする請求項１４に記載の情報処理装置。
【請求項１８】
前記制御手段は、前記入力手段で入力された前記指示具の指示座標と主軸方向回転角の時間変化の座標移動速度に対する比率に基づいて、前記オブジェクトによる描線の表示形態を制御する
ことを特徴とする請求項１４に記載の情報処理装置。
【請求項１９】
指示具によって指示される座標入力領域上の座標を検出する座標入力装置の制御方法であって、
第１検出手段が、前記指示具の指示座標を検出する第１検出工程と、
第２検出手段が、前記指示具の主軸方向回転角度を検出する第２検出工程と
を備えることを特徴とする座標入力装置の制御方法。
【請求項２０】
指示具によって入力される座標入力領域上の座標を検出する座標入力装置の制御方法であって、
第１検出手段が、発光部を有する前記指示具からの第１発光に基づいて、該指示具の指示座標を検出する第１検出工程と、
第２検出手段が、前記指示具からの第２発光に基づいて、該指示具の主軸方向回転角度を検出する第２検出工程と
を備えることを特徴とする座標入力装置の制御方法。
【請求項２１】
座標入力装置によって出力される座標入力領域に対する指示具の指示座標とその主軸方向回転角度に基づいて、表示部に表示されるオブジェクトを制御する情報処理装置の制御方法であって、
入力手段が、前記座標入力装置より、前記指示具の指示座標とその主軸方向回転角度を入力する入力工程と、
制御手段が、前記入力工程で入力された前記指示具の指示座標とその主軸方向回転角度に基づいて、処理対象のオブジェクトの表示形態を制御する制御工程と
を備えることを特徴とする情報処理装置の制御方法。
【請求項２２】
指示具によって指示される座標入力領域上の座標を検出する座標入力装置の制御をコンピュータに実行させるためのプログラムであって、
前記指示具の指示座標を検出する第１検出工程と、
前記指示具の主軸方向回転角度を検出する第２検出工程と
をコンピュータに実行させることを特徴とするプログラム。
【請求項２３】
指示具によって入力される座標入力領域上の座標を検出する座標入力装置の制御をコンピュータに実行させるためのプログラムであって、
発光部を有する前記指示具からの第１発光に基づいて、該指示具の指示座標を検出する第１検出工程と、
前記指示具からの第２発光に基づいて、該指示具の主軸方向回転角度を検出する第２検出工程と
をコンピュータに実行させることを特徴とするプログラム。
【請求項２４】
座標入力装置によって出力される座標入力領域に対する指示具の指示座標とその主軸方向回転角度に基づいて、表示部に表示されるオブジェクトを制御する情報処理装置の制御をコンピュータに実行させるためのプログラムであって、
前記座標入力装置より、前記指示具の指示座標とその主軸方向回転角度を入力する入力工程と、
前記入力工程で入力された前記指示具の指示座標とその主軸方向回転角度に基づいて、処理対象のオブジェクトの表示形態を制御する制御工程と
をコンピュータに実行させることを特徴とするプログラム。
【手続補正２】
【補正対象書類名】明細書
【補正対象項目名】０００１
【補正方法】変更
【補正の内容】
【０００１】
本発明は、指示具によって指示される座標入力領域上の座標を検出する座標入力装置、その座標入力装置によって出力される座標入力領域に対する指示具の指示座標とその主軸方向回転角度に基づいて、表示部に表示されるオブジェクトを制御する情報処理装置、それらの装置の制御方法、プログラムに関するものである。